【手続補正書】
【提出日】平成23年9月2日(2011.9.2)
【手続補正１】
【補正対象書類名】特許請求の範囲
【補正対象項目名】全文
【補正方法】変更
【補正の内容】
【特許請求の範囲】
【請求項１】
被写体を撮像する撮像手段と、
前記撮像手段により撮像して得られた画像から複数の人物の顔部分を認識する顔認識手段と、
前記顔認識手段により認識された複数の人物の顔部分が所定の状態であるか否かを判定する状態判定手段と、
前記状態判定手段により所定の状態でないと判定された場合に、前記複数の人物の顔部分を所定の状態にするためには、どの人物の状態をどのように変化させる必要があるかを特定する特定手段と、
前記特定手段により特定された人物に対して前記特定手段により特定されたように状態を変化させることを指示する案内情報であって、該当人物および当該状態変化の内容を特定可能な案内情報を出力する案内情報出力手段と
を具備することを特徴とする撮影装置。
【請求項２】
前記状態特定手段は、前記顔認識手段により認識された複数の人物の顔部分の位置関係が所定の状態であるか否かを判定することを特徴とする請求項１に記載の撮影装置。
【請求項３】
前記特定手段は、前記状態判定手段により複数の人物の顔部分の位置関係が所定の状態でないと判定された場合に、前記複数の人物の顔部分の位置関係を所定の状態にするためには、どの人物の位置をどのように変化させる必要があるかを特定することを特徴とする請求項２に記載の撮影装置。
【請求項４】
前記状態判定手段は、撮影対象となっている全ての人物の顔部分の位置が前記撮像手段により撮像される所定の撮像領域内に収まっているか否かを判定し、
前記特定手段は、前記状態判定手段により撮影対象となっている全ての人物の顔部分の位置が前記撮像手段により撮像される所定の撮像領域内に収まっていないと判定された場合に、前記状態判定手段により特定される全ての人物の顔部分の位置関係に応じて、どの人物が撮影領域内に移動するような状態変化が必要であるかを特定することを特徴とする請求項２または３に記載の撮影装置。
【請求項５】
前記状態特定手段は、前記顔認識手段により認識された複数の人物の顔部分の位置関係が所定の距離範囲内にあるか否かを判定し、
前記特定手段は、前記顔認識手段により認識された複数の人物のうち、この複数の人物の全体から離れている状態の人物を特定するとともに、当該人物が他の人物の方に寄るような状態変化が必要であることを特定することを特徴とする請求項３または４に記載の撮影装置。
【請求項６】
前記状態特定手段は、前記顔認識手段により認識された複数の人物全体の中心点と、前記撮像手段により撮像される所定の撮像領域の中心点とのずれ量が所定値以内であるか否かを判定し、
前記特定手段は、前記顔認識手段により認識された複数の人物の全体が、撮像領域の中心点の方向へと移動するような状態変化が必要であることを特定することを特徴とする請求項３乃至５のいずれかに記載の撮影装置。
【請求項７】
複数の人物の各々に対応させて、各人物の顔部分を特徴づける顔認識用データと各人物の個人情報とを対応付けて予め記憶する個人情報記憶手段と、
前記顔認識手段により認識された顔部分に対応する人物を、前記個人情報記憶手段に記憶されている顔認識用データに基づいて特定する人物特定手段と、
前記人物特定手段により特定された人物の個人情報を、前記個人情報記憶手段から読み出す個人情報読出手段とを更に備え、
前記案内情報出力手段は、
前記個人情報読出手段により読み出された個人情報に基づいて、前記人物に対して前記特定手段により特定されたように状態を変化させることを指示する案内文であって、該当人物および当該状態変化の内容を特定可能な案内文を作成する案内文作成手段と、
前記案内文作成手段により作成された案内文に基づいて、案内音声を合成して出力する案内音声出力手段とを含むことを特徴とする請求項１乃至６のいずれかに記載の撮影装置。
【請求項８】
前記個人情報は、人物の呼称を含み、
前記案内文作成手段は、前記人物の呼称が含まれる前記案内文を作成することを特徴とする請求項７記載の撮影装置。
【請求項９】
前記特定手段により特定可能な複数の状態変化の各々に対応させて、複数の基本案内文を記憶する基本案内文記憶手段を更に備え、
前記案内文作成手段は、
前記基本案内文記憶手段に記憶されている複数の案内文の中から、前記特定手段により特定された状態変化に応じた少なくとも１つ以上の基本案内文を選択する基本案内文選択手段と、
前記基本案内文選択手段により選択された少なくとも１つ以上の基本案内文と前記個人情報読出手段により読み出された個人情報とを合成して、前記案内文を作成する案内文合成手段と
を備えることを特徴とする請求項７または８に記載の撮影装置。
【請求項１０】
前記人物特定手段により特定すべき少なくも一人以上の人物を指定する指定手段を更に備え、
前記個人情報記憶手段は、前記指定手段により指定されているか否かを示す指定フラグを、人物の個人情報と対応付けて記憶し、
前記人物特定手段は、前記指定フラグが有効に設定されている少なくも一人以上の人物を、前記顔認識手段により認識された顔部分に対応する人物の中から、前記個人情報記憶手段に記憶されている顔認識用データに基づいて特定する、
ことを特徴とする請求項１乃至９のいずれかに記載の撮影装置。
【請求項１１】
被写体を撮像するステップと、
前記撮像して得られた画像から複数の人物の顔部分を認識するステップと、
前記認識された複数の人物の顔部分が所定の状態であるか否かを判定するステップと、
前記所定の状態でないと判定された場合に、前記複数の人物の顔部分を所定の状態にするためには、どの人物の状態をどのように変化させる必要があるかを特定するステップと、
前記特定された人物に対して前記特定されたように状態を変化させることを指示する案内情報であって、該当人物および当該状態変化の内容を特定可能な案内情報を出力するステップと
を含むことを特徴とする撮影案内方法。
【請求項１２】
被写体を撮像する撮像部を備える撮影装置の動作を制御するプログラムであって、
コンピュータに、
前記撮影部により被写体を撮像する撮像機能、
前記撮像部により撮像して得られた画像から複数の人物の顔部分を認識する顔認識機能、
前記顔認識機能により認識された複数の人物の顔部分が所定の状態であるか否かを判定する状態判定機能、
前記状態判定機能により所定の状態でないと判定された場合に、前記複数の人物の顔部分を所定の状態にするためには、どの人物の状態をどのように変化させる必要があるかを特定する特定機能、
前記特定機能により特定された人物に対して前記特定手段により特定されたように状態を変化させることを指示する案内情報であって、該当人物および当該状態変化の内容を特定可能な案内情報を出力する案内情報出力機能、
を実現させることを特徴とするプログラム。
【手続補正２】
【補正対象書類名】明細書
【補正対象項目名】０００７
【補正方法】変更
【補正の内容】
【０００７】
また、好ましい態様として更に、前記状態特定手段は、前記顔認識手段により認識された複数の人物の顔部分の位置関係が所定の状態であるか否かを判定することを特徴とする。
【手続補正３】
【補正対象書類名】明細書
【補正対象項目名】０００８
【補正方法】変更
【補正の内容】
【０００８】
また、好ましい態様として更に、前記特定手段は、前記状態判定手段により複数の人物の顔部分の位置関係が所定の状態でないと判定された場合に、前記複数の人物の顔部分の位置関係を所定の状態にするためには、どの人物の位置をどのように変化させる必要があるかを特定することを特徴とする。
【手続補正４】
【補正対象書類名】明細書
【補正対象項目名】０００９
【補正方法】変更
【補正の内容】
【０００９】
また、好ましい態様として更に、前記状態判定手段は、撮影対象となっている全ての人物の顔部分の位置が前記撮像手段により撮像される所定の撮像領域内に収まっているか否かを判定し、前記特定手段は、前記状態判定手段により撮影対象となっている全ての人物の顔部分の位置が前記撮像手段により撮像される所定の撮像領域内に収まっていないと判定された場合に、前記状態判定手段により特定される全ての人物の顔部分の位置関係に応じて、どの人物が撮影領域内に移動するような状態変化が必要であるかを特定することを特徴とする。
また、好ましい態様として更に、前記状態特定手段は、前記顔認識手段により認識された複数の人物の顔部分の位置関係が所定の距離範囲内にあるか否かを判定し、前記特定手段は、前記顔認識手段により認識された複数の人物のうち、この複数の人物の全体から離れている状態の人物を特定するとともに、当該人物が他の人物の方に寄るような状態変化が必要であることを特定することを特徴とする。
【手続補正５】
【補正対象書類名】明細書
【補正対象項目名】００１０
【補正方法】変更
【補正の内容】
【００１０】
また、好ましい態様として更に、前記状態特定手段は、前記顔認識手段により認識された複数の人物全体の中心点と、前記撮像手段により撮像される所定の撮像領域の中心点とのずれ量が所定値以内であるか否かを判定し、前記特定手段は、前記顔認識手段により認識された複数の人物の全体が、撮像領域の中心点の方向へと移動するような状態変化が必要であることを特定することを特徴とする。
【手続補正６】
【補正対象書類名】明細書
【補正対象項目名】００１１
【補正方法】変更
【補正の内容】
【００１１】
また、好ましい態様として更に、複数の人物の各々に対応させて、各人物の顔部分を特徴づける顔認識用データと各人物の個人情報とを対応付けて予め記憶する個人情報記憶手段と、前記顔認識手段により認識された顔部分に対応する人物を、前記個人情報記憶手段に記憶されている顔認識用データに基づいて特定する人物特定手段と、前記人物特定手段により特定された人物の個人情報を、前記個人情報記憶手段から読み出す個人情報読出手段とを更に備え、前記案内情報出力手段は、前記個人情報読出手段により読み出された個人情報に基づいて、前記人物に対して前記特定手段により特定されたように状態を変化させることを指示する案内文であって、該当人物および当該状態変化の内容を特定可能な案内文を作成する案内文作成手段と、前記案内文作成手段により作成された案内文に基づいて、案内音声を合成して出力する案内音声出力手段とを含むことを特徴とする。
【手続補正７】
【補正対象書類名】明細書
【補正対象項目名】００１２
【補正方法】変更
【補正の内容】
【００１２】
また、好ましい態様として更に、前記個人情報は、人物の呼称を含み、前記案内文作成手段は、前記人物の呼称が含まれる前記案内文を作成することを特徴とする。
【手続補正８】
【補正対象書類名】明細書
【補正対象項目名】００１３
【補正方法】変更
【補正の内容】
【００１３】
また、好ましい態様として更に、前記特定手段により特定可能な複数の状態変化の各々に対応させて、複数の基本案内文を記憶する基本案内文記憶手段を更に備え、前記案内文作成手段は、前記基本案内文記憶手段に記憶されている複数の案内文の中から、前記特定手段により特定された状態変化に応じた少なくとも１つ以上の基本案内文を選択する基本案内文選択手段と、前記基本案内文選択手段により選択された少なくとも１つ以上の基本案内文と前記個人情報読出手段により読み出された個人情報とを合成して、前記案内文を作成する案内文合成手段とを備えることを特徴とする。
【手続補正９】
【補正対象書類名】明細書
【補正対象項目名】００１４
【補正方法】変更
【補正の内容】
【００１４】
また、好ましい態様として更に、前記人物特定手段により特定すべき少なくも一人以上の人物を指定する指定手段を更に備え、前記個人情報記憶手段は、前記指定手段により指定されているか否かを示す指定フラグを、人物の個人情報と対応付けて記憶し、前記人物特定手段は、前記指定フラグが有効に設定されている少なくも一人以上の人物を、前記顔認識手段により認識された顔部分に対応する人物の中から、前記個人情報記憶手段に記憶されている顔認識用データに基づいて特定する、ことを特徴とする。